(57)【特許請求の範囲】
【請求項１】
収納ケースと、
サドルカバーと、
前記サドルカバーを巻き取る回転軸と、
前記回転軸の一端に設置された該回転軸を巻き戻すためのバネと、
前記回転軸の他端に設置されたＳ極またはＮ極の磁石と、
前記回転軸の他端を支持するための穴を有する支持部材と、
前記回転軸の他端と垂直に設置された平板形状の切換子と、
前記切換子の一の面に隣接して設置され、かつ前記回転軸の他端に設置されたＳ極またはＮ極の磁石と対向する位置に設置されたＳ極及びＮ極の磁石と、
前記切換子の両端部に設置され、前記切換子を前記収納ケースに保持すると共に、前記切換子に設置されたＳ極及びＮ極の磁石が前記回転軸の他端に設置されたＳ極またはＮ極の磁石と対向している状態を切り換えるためのガイド棒と、
を有することを特徴とするサドルカバー装置。
【請求項２】
前記ガイド棒に挿入され、前記切換子を付勢するためのバネを更に有することを特徴とする請求項１記載のサドルカバー装置。
【請求項３】
前記回転軸の他端に設置されたＳ極またはＮ極の磁石に隣接し、かつ前記支持部材の穴の両縁に設置されるＮ極またはＳ極の磁石を更に有することを特徴とする請求項１または２に記載のサドルカバー装置。
【請求項４】
前記回転軸を巻き戻すための前記バネが発条バネであることを特徴とする請求項１乃至３のいずれか１項に記載のサドルカバー装置。
【請求項５】
前記収納ケースが、自転車のサドルの下部のサドルポストに設置されることを特徴とする請求項１乃至４のいずれか１項に記載のサドルカバー装置。
【発明の詳細な説明】
【技術分野】
【０００１】
本発明は、自転車のサドルを随時カバーで覆うことができる、サドルカバー装置に関する。
【背景技術】
【０００２】
自転車を屋外に駐輪させておいて、時間をおいて再度自転車に乗ろうとした場合、自転車のサドルが雨で濡れて、搭乗者の衣服が濡れたり汚れたりしてしまい、自転車の搭乗者が不愉快な思いをすることがしばしばある。このような場合、搭乗者は濡れた自転車のサドルをハンカチなどで拭き取る場合もあるが、ハンカチが汚れてしまうという問題もある。
【０００３】
このような課題を解決するために、例えば特許文献１には、サドルにサドルカバーを被覆できるようにしたサドルカバー装置に関する技術が開示されている。特許文献１のサドルカバー装置について、図６を参照しつつ以下に説明する。
【０００４】
図６（ａ）は特許文献１のサドルカバー装置の分解斜視図であり、図６（ｂ）は平面断面図であり、図６（ｃ）は巻取りロールの端部詳細図である。特許文献１のサドルカバー装置では、巻取りロール５２にサドルカバー５３が巻き取られた状態で、収納ケース５１内に収納されている。サドルカバー５３の一方端には係止具６１が設置されており、この係止具６１が巻取りロール５２の係止溝６５に係止される。また、サドルカバーの他方の端には係止孔８５を有する把持部８１が設置されている。把持部８１は、自転車の搭乗者が巻かれたサドルカバー５３を引っ張り出す場合に使用される。なお、サドルカバー５３は収納ケース５１に収納される場合には、出し入れ口５８に挿通した状態で収納される。また、巻取りロール５２が収納ケース５１に収納された後は、キャップ５７により端部が塞がれる。
【０００５】
巻取りロール５２の両端部には支持軸６７，６８が設けられおり、収納ケース５１の内部の所定箇所に係合される。巻取りロール５２は、支持軸６７，６８を中心に回転する。また、支持軸６７にはコイルバネ７３が挿入され、コイルバネ７３の一方端が巻取りロール５２の端面の挟持片７４に挟持され、コイルバネ７３の他方端はキャップ５７の内面に突設した一対の挟持片７５間に挟持固定される。なお、サドルカバー装置は保持具８７によって自転車のサドルの下部に設置される。
【先行技術文献】
【特許文献】
【０００６】
【特許文献１】特開平１０−２５０６５８号公報
【発明の概要】
【発明が解決しようとする課題】
【０００７】
しかし、上述したサドルカバー装置では、自転車のサドルにサドルカバー５３を被せた状態では、コイルバネ７３の付勢が常にサドルカバー５３に付加された状態になっており、サドルカバー５３が破損しやすいという課題があった。
【０００８】
本発明は、上記課題を解決するためになされたものであり、収納ケースから引き出されたサドルカバーを任意の位置で拘束し、またその位置で拘束を解除することでサドルカバーを収納ケースに再度収納することが可能なサドルカバー装置を提供することを目的とする。
【課題を解決するための手段】
【０００９】
本発明は、上記課題を解決するため以下の構成を有する。
【００１０】
（１）収納ケースと、
サドルカバーと、
前記サドルカバーを巻き取る回転軸と、
前記回転軸の一端に設置された該回転軸を巻き戻すためのバネと、
前記回転軸の他端に設置されたＳ極またはＮ極の磁石と、
前記回転軸の他端を支持するための穴を有する支持部材と、
前記回転軸の他端と垂直に設置された平板形状の切換子と、
前記切換子の一の面に隣接して設置され、かつ前記回転軸の他端に設置されたＳ極またはＮ極の磁石と対向する位置に設置されたＳ極及びＮ極の磁石と、
前記切換子の両端部に設置され、前記切換子を前記収納ケースに保持すると共に、前記切換子に設置されたＳ極及びＮ極の磁石が前記回転軸の他端に設置されたＳ極またはＮ極の磁石と対向している状態を切り換えるためのガイド棒と、
を有することを特徴とするサドルカバー装置。
【００１１】
（２）前記ガイド棒に挿入され、前記切換子を付勢するためのバネを更に有することを特徴とする前記（１）記載のサドルカバー装置。
【００１２】
（３）前記回転軸の他端に設置されたＳ極またはＮ極の磁石に隣接し、かつ前記支持部材の穴の両縁に設置されるＮ極またはＳ極の磁石を更に有することを特徴とする請求項１または２に記載のサドルカバー装置。
【００１３】
（４）前記回転軸を巻き戻すための前記バネが発条バネであることを特徴とする前記（１）乃至（３）のいずれか１項に記載のサドルカバー装置。
【００１４】
（５）前記収納ケースが、自転車のサドルの下部のサドルポストに設置されることを特徴とする前記（１）乃至（４）のいずれか１項に記載のサドルカバー装置。
【発明の効果】
【００１５】
本発明によれば、収納ケースから引き出されたサドルカバーを任意の位置で拘束し、またその位置で拘束を解除することでサドルカバーを収納ケースに再度収納することが可能なサドルカバー装置を提供することができる。
【図面の簡単な説明】
【００１６】
【図１】実施例のサドルカバー装置の外観を示す図
【図２】実施例のサドルカバー装置の内部構造を示す図
【図３】実施例のサドルカバー装置の内部構造を示す分解斜視図
【図４】実施例のサドルカバー装置のサドルカバーの出し入れを説明するための図
【図５】本実施例のサドルカバー装置の自転車のサドルへの設置状態を示す図
【図６】従来のサドルカバー装置の構成を示す図
【発明を実施するための形態】
【００１７】
本発明を実施するための形態を、図面を参照しつつ以下に説明する。
【実施例１】
【００１８】
図１は、本発明のサドルカバー装置３０の外観を示す図であり、図１（ａ）は平面図、図１（ｂ）は正面図、図１（ｃ）は右側面図である。サドルカバー装置３０は、本体ケース１０と上蓋１１よりなる外筐体を有しており、上蓋１１は４本の固定ネジ４０によって本体ケース１０に固定されている。
【００１９】
本実施例のサドルカバー装置３０は、正面前方にストッパー栓１３がわずかに露出しており、係止紐１３ａがストッパー栓１３の中央に設置されている。使用者は、この係止紐１３ａに指を入れて引くことにより内部に収納されたサドルカバーを引き出すことができる。また、正面右側にはガイド棒１４が突出しており、左側面にはバネケース２１とキャップ２２が露出している。なお、内部構造の詳細については後述する。
【００２０】
図２は、サドルカバー装置３０の上蓋１１を取り外した内部構造を示す図であり、図２（ａ）は平面図、図２（ｂ）は右側面図である。サドルカバー装置３０の構造を、図２を用いて以下に説明する。
【００２１】
先端にストッパー栓１３を有するサドルカバー１２は、一端が回転軸１５に固定され、回転軸１５によって巻き取られる。また、サドルカバー１２の他端はストッパー栓１３に固定されている。なお、図２（ａ）はサドルカバー１２を完全に引張出した状態を示している。回転軸１５の左端部には発条バネ２０が取り付けられており、右端部にはＳ極の磁石１５ｂが設置されている。なお、Ｓ極の磁石１５ｂはＮ極の磁石であってもよい。発条バネ２０の外側端部はバネケース２１の内壁部に固定されている。そして、バネケース２１にはキャップ２２がねじ込まれている。
【００２２】
本体ケース１０の右端部には、両側にガイド棒１４を有する切換子１６が設置されている。また、２個のガイド棒１４にはコイルバネ１９が挿入されている。そして、切換子１６には回転軸１５のＳ極磁石１５ｂと対向する位置にＮ極の磁石１６ａとＳ極の磁石１６ｂが設置され、切換子１６はガイド金具１８に載置されている（図２（ｂ））。従って、切換子１６はコイルバネ１９に影響されつつ、図２（ａ）の上下方向に移動する。なお、回転軸１５の右側端部は仕切板１０ａで保持されており、仕切板１０ａの所定位置にはＮ極の磁石２３ａが２個設置されている。
【００２３】
上記したサドルカバー装置３０の構造を示す分解斜視図を図３に示す。回転軸１５の左端部には発条バネ２０の内側端部を固定するための切欠き１５ｃが設けられており、本体ケースの穴１０ｃに挿入された回転軸１５はバネケース２１の穴を通って発条バネ２０と連結される。なお、図示しないがバネケース２１の内壁は、発条バネ２０の外側端部を固定するための固定部を有しており、またバネケース２１の内壁にはキャップ２２がねじ込まれるネジ溝が形成されている。本体ケース１０の仕切板１０ａの回転軸１５のＳ極磁石１５ｂが挿入される穴の両側にはＮ極の磁石２３ａが２個設置されている。この２個のＮ極の磁石２３ａは、共にＳ極の磁石１５ｂを両側から引くため、回転軸１５の回転を安定化させる働きをする。
【００２４】
次に、図４を参照しつつ、サドルカバー装置３０のサドルカバー１２の引出し及び巻取りの動作について説明する。図４（ａ）は、サドルカバー１２が回転軸１５に完全に巻き取られている状態を示す図である。この状態では、回転軸１５の右端部のＳ極の磁石１５ｂは切換子１６のＮ極の磁石１６ａと対向している。そして、この状態でストッパー栓１３を矢印Ａの方向に引くとサドルカバー１２は順次引き出される。このサドルカバー１２を引き出す状態においては、発条バネ２０の戻す力と回転軸１５のＳ極の磁石１５ｂが切換子１６のＮ極の磁石１６ａに引かれる力が回転軸１５に作用する。そして、サドルカバー１２を引き出す状態を停止した場合には、回転軸１５のＳ極の磁石１５ｂが切換子１６のＮ極の磁石１６ａに拘束されているため、その引出し状態で停止する。
【００２５】
図４（ｂ）は、サドルカバー装置３０のサドルカバー１２を完全に引き出した後、図４（ａ）の下側のガイド棒１４を押し込んだ状態を示している。図４（ｂ）の状態では、回転軸１５のＳ極の磁石１５ｂは切換子１６のＳ極の磁石１６ｂと反発するため、回転軸１５の回転を拘束することができない。その結果、回転軸１５は発条バネ２０の戻し力によって回転し、サドルカバー１２が回転軸１５に巻き取られることになる。なお、このサドルカバー１２の巻き戻し状態では、ガイド棒１４を常に押していなければならない。
【００２６】
図４（ｂ）の状態では、切換子１６のＳ極の磁石１６ｂは回転軸１５のＳ極の磁石１５ｂと反発し合い、切換子１６のＮ極の磁石１６ａは回転軸１５のＳ極の磁石１５ｂに引っ張られる。すなわち、切換子１６には図４（ｂ）で示したＢの方向の力が作用する。また、上側のガイド棒１４に挿入されたコイルバネ１９は圧縮されているため切換子１６にＢ方向の力を与え、下側のガイド棒１４に挿入されたコイルバネ１９は伸ばされているため同様に切換子１６にＢ方向の力を与える。結局、図４（ｂ）の状態で、下側のガイド棒１４を押していた手を離すと、図４（ｃ）の状態を経由して図４（ａ）の状態に戻ることになる。すなわち、回転軸１５の回転が停止する。サドルカバー１２の収納作業を途中で中止したい場合には、ガイド棒１４を押していた手を離せばよい。なお、上記したＳ極の磁石１５ｂはＮ極の磁石であってもよい。
【００２７】
本実施例のサドルカバー装置３０の自転車のサドルへの設置について、図５を参照しつつ以下に説明する。サドルカバー装置３０を自転車のサドル２６に設置するための取付具２４を図５（ａ），（ｂ）に示す。取付具２４は、サドルカバー装置３０の背面側に固定ネジ２５によって固定されている。ネジによる固定ではなく、接着や溶接によって固定してもよい。なお、取付具２４には種々の形状のものが考えられ、本実施例の取付具はその一例を示したものである。図５（ｃ）は、本実施例のサドルカバー装置３０を、自転車のサドル２６の下側に設置した状態を示す図である。サドルカバー装置３０は、サドルポスト２８の上部に取付具２４によって固定されており、使用者はサドルカバー装置３０のサドルカバー１２を引っ張り出したのち、係止紐１３ａをフック２７に固定する。
【００２８】
本発明のサドルカバー装置によれば、収納ケースから引き出されたサドルカバーを任意の位置で拘束し、またその位置で拘束を解除することでサドルカバーを収納ケースに再度収納することができる。
【符号の説明】
【００２９】
１０      本体ケース
１０ａ    仕切板
１０ｃ    穴
１１      上蓋
１３      ストッパー栓
１３ａ    係止紐
１４      ガイド棒
１５      回転軸
１５ｂ    Ｓ極の磁石
１６      切換子
１６ａ    Ｎ極の磁石
１６ｂ    Ｓ極の磁石
１８      ガイド金具
１９      コイルバネ
２０      発条バネ
２１      バネケース
２２      キャップ
２３ａ    Ｎ極の磁石
２４      取付具
２５      固定ネジ
２６      サドル
２７      フック
３０      サドルカバー装置
【要約】
【課題】収納ケースから引き出されたサドルカバーを任意の位置で拘束し、またその位置で拘束を解除することでサドルカバーを収納ケースに再度収納することが可能なサドルカバー装置を提供することを目的とする。
【解決手段】収納ケース１０と、サドルカバー１２と、サドルカバー１２を巻き取る回転軸１５と、回転軸１５の一端に設置された該回転軸１５を巻き戻すためのバネ２０と、回転軸１５の他端に設置されたＳ極の磁石１５ｂと、Ｓ極またはＮ極の磁石１５ｂと対向する位置に設置されたＮ極の磁石１６ａ及びＳ極の磁石１６ｂを有する切換子１６と、切換子１６の両端部に設置され、切換子１６を収納ケース１０に保持するためのガイド棒１４と、を有することを特徴とするサドルカバー装置。
【選択図】図２【図１】
0005781708.tif 000002
【図２】
0005781708.tif 000003
【図３】
0005781708.tif 000004
【図４】
0005781708.tif 000005
【図５】
0005781708.tif 000006
【図６】
0005781708.tif 000007